(57)【要約】【課題】排気中の塵埃をマイナスイオン発生体によって帯電し、捕集することで、導通不良や回路短絡を防ぐことができる電気掃除機を提供することを目的とする。【解決手段】吸引風を発する電動送風機１と、前記電動送風機１を配置する電動送風機室２と、マイナスイオンを発生するマイナスイオン発生体６とを備え、前記マイナスイオン発生体６を前記電動送風機室２の内壁面９に設けたもので、プラスに帯電した排気中の塵埃がマイナスイオン発生体６に触れることで、導通不良や回路短絡を防ぐことができる。【選択図】  図１
2004267682.tif 000002
【特許請求の範囲】
【請求項１】
吸引風を発する電動送風機と、前記電動送風機を配置する電動送風機室と、マイナスイオンを発生するマイナスイオン発生体とを備え、前記マイナスイオン発生体を前記電動送風機室の内壁面に設けた電気掃除機。
【請求項２】
吸引風を発する電動送風機を内蔵した掃除機本体と、マイナスイオンを発生するマイナスイオン発生体とを備え、前記電動送風機が排出する排気風が流れる流路上にて、前記電動送風機を前記マイナスイオン発生体を介して前記掃除機本体に支持する電気掃除機。
【請求項３】
吸引風を発する電動送風機を内蔵し前記電動送風機が排出する排気風を大気に放出する排気部を有する掃除機本体と、マイナスイオンを発生するマイナスイオン発生体とを備え、前記マイナスイオン発生体を前記電動送風機と前記排気部との間の排気通路に設けた電気掃除機。
【請求項４】
電動送風機を覆う電動送風機ケースを設け、前記電動送風機ケースは前記電動送風機が排出する排気を放出する排出部を有し、マイナスイオン発生体を前記排出部に対向して設けた請求項１〜３のいずれか１項に記載の電気掃除機。
【請求項５】
マイナスイオン発生体と前記マイナスイオン発生体を設ける部位との間に隙間を形成してなる請求項１〜４のいずれか１項に記載の電気掃除機。
【請求項６】
マイナスイオン発生体を設ける部位を帯電防止剤を含有しない樹脂部品で形成した請求項１〜５のいずれか１項に記載の電気掃除機。
【請求項７】
マイナスイオン発生体に帯電防止剤を有しない部分を形成し、前記非帯電防止材質側を装着面とする請求項１〜４のいずれか１項に記載の電気掃除機。
【発明の詳細な説明】
【０００１】
【発明の属する技術分野】
本発明は、電気掃除機の集塵構造に関するものである。
【０００２】
【従来の技術】
従来の電気掃除機の構成について図６を用いて説明する。掃除機本体３１は、吸引風を発する電動送風機３４を有し、内壁を樹脂部品で設け前記電動送風機３４を内蔵する電動送風機室３２と、吸引された塵埃を捕集する有底の集塵部３３とを備え、前記電動送風機室３２には、排気中の塵埃を捕集する集塵フィルター３５を排気部３７近傍に設け、この集塵フィルター３５にマイナスイオン発生体を構成する集塵フィルター３６を設ける。このことにより、電動送風機３４から排出される排気中の塵埃は集塵フィルター３５、３６を通して排気部３７より排出される（例えば、特許文献１参照）。
【０００３】
【特許文献１】
特開２００１−１７３６１号公報
【０００４】
【発明が解決しようとする課題】
しかしながら上記従来の構成では、プラスに帯電した排気中の塵埃が集塵フィルター３５に至る前に、電動送風機室３４の内壁に付着することで室内の汚れをひどくしたり、比較的粒子の小さい塵埃は集塵フィルター３５に至っても捕集されず通過するものがあった。また、比較的粒子の大きい塵埃には集塵フィルター３５に至らないものがあり、電気掃除機の運転を停止すると、電動送風機室３２の底部で堆積、再運転時には電動送風機室３２の下方で流動するため、電動送風機室３２内の汚れが徐々にひどくなるだけでなく、最悪の場合導電部に接触、導通不良を起こしたり、回路の短絡を起こすことがあった。
【０００５】
本発明は上記従来の課題を解決するもので、排気中の塵埃をマイナスイオン発生体によって帯電し、捕集することで、導通不良や回路短絡を防ぐことができる電気掃除機を提供することを目的とする。
【０００６】
【課題を解決するための手段】
上記目的を達成するために本発明は、吸引風を発する電動送風機と、前記電動送風機を配置する電動送風機室と、マイナスイオンを発生するマイナスイオン発生体とを備え、前記マイナスイオン発生体を前記電動送風機室の内壁面に設けたもので、プラスに帯電した排気中の塵埃がマイナスイオン発生体に触れることで、発生するマイナスイオンによって中和、結合され、結合して大きくなった塵埃は、排気部もしくはその近傍に設けた集塵フィルターで確実に捕集され、また比較的粒子の大きい塵埃は、電動送風機室の壁面に設けたマイナスイオン発生体部で同様に中和、結合されるため、その場で捕集されることから、導通不良や回路短絡を防ぐことができる。
【０００７】
【発明の実施の形態】
本発明の請求項１記載の発明は、吸引風を発する電動送風機と、前記電動送風機を配置する電動送風機室と、マイナスイオンを発生するマイナスイオン発生体とを備え、前記マイナスイオン発生体を前記電動送風機室の内壁面に設けたもので、プラスに帯電した排気中の塵埃がマイナスイオン発生体に触れることで、発生するマイナスイオンによって中和、結合され、結合して大きくなった塵埃は、排気部もしくはその近傍に設けた集塵フィルターで確実に捕集され、また比較的粒子の大きい塵埃は、電動送風機室の壁面に設けたマイナスイオン発生体部で同様に中和、結合されるため、その場で捕集されることから、導通不良や回路短絡を防ぐことができる。
【０００８】
本発明の請求項２記載の発明は、吸引風を発する電動送風機を内蔵した掃除機本体と、マイナスイオンを発生するマイナスイオン発生体とを備え、前記電動送風機が排出する排気風が流れる流路上にて、前記電動送風機を前記マイナスイオン発生体を介して前記掃除機本体に支持するもので、排気風の通過接触だけでなく、電動送風機から伝わる振動でもマイナスイオンの発生を増加させることができ、より多くの塵埃を中和、結合し、捕集することができる。
【０００９】
本発明の請求項３記載の発明は、吸引風を発する電動送風機を内蔵し前記電動送風機が排出する排気風を大気に放出する排気部を有する掃除機本体と、マイナスイオンを発生するマイナスイオン発生体とを備え、前記マイナスイオン発生体を前記電動送風機と前記排気部との間の排気通路に設けたもので、プラスに帯電した排気中の塵埃がマイナスイオン発生体に触れることで、発生するマイナスイオンによって中和、結合され、結合して大きくなった塵埃は、排気部もしくはその近傍に設けた集塵フィルターで確実に捕集され、また比較的粒子の大きい塵埃は、前記電動送風機と前記排気部との間の排気通路に設けたマイナスイオン発生体部で同様に中和、結合されるため、その場で捕集される。
【００１０】
本発明の請求項４記載の発明は、電動送風機を覆う電動送風機ケースを設け、前記電動送風機ケースは前記電動送風機が排出する排気を放出する排出部を有し、マイナスイオン発生体を前記排出部に対向して設けたもので、電動送風機からの排気の流速が少し落ちたポイントで中和、結合するため、より多くの排気塵埃を帯電することができ、塵埃の捕集効率をさらに上げることができる。
【００１１】
本発明の請求項５記載の発明は、マイナスイオン発生体と前記マイナスイオン発生体を設ける部位との間に隙間を形成してなるもので、比較的粒子が小さく流速がそれほど落ちない塵埃についてはマイナスイオンによって中和、結合した後、マイナスイオン発生体を通過させることで目詰まりによる中和作用の劣化を防ぎ、より多くの塵埃を中和、結合させることができ、より高い捕集効率を得ることができる。
【００１２】
本発明の請求項６記載の発明は、マイナスイオン発生体を設ける部位を帯電防止剤を含有しない樹脂部品で形成したもので、近傍にあるマイナスイオン発生体からより多くのマイナスイオンを発生しやすくすることができ、結果、塵埃の捕集効率を上げると共に、より安価な費用でマイナスイオン発生体を設ける部位をを形成できる。
【００１３】
本発明の請求項７記載の発明は、マイナスイオン発生体に帯電防止剤を有しない部分を形成し、前記非帯電防止材質側を装着面とするもので、マイナスイオン発生体が装着される部位が、帯電防止剤を有する、有さないに拘わらず、安定してマイナスイオンを発生することができ、安定した捕集効率を得ることができる。
【００１４】
【実施例】
以下、本発明の一実施例について、図１〜図５を用いて説明する。
【００１５】
図１は本発明の掃除機本体の側断面図である。本掃除機は、吸引風を発する電動送風機１を内蔵する電動送風機室２と、前記吸引風によって吸引される塵埃を捕集する有底の集塵部３を有する。また、電動送風機１は、略箱体の電動送風機ケース５にて覆い、前記電動送風機ケースの前部及び後部に防振部品等の支持部品４を設け、前記電動送風機室２内に固定している。マイナスイオン発生体６は、不織布もしくはそれに類した材質に自発分極を有する物質等を噴霧、塗布あるいは接着など何らかの手段で添着したもので、前記電動送風機室２の底内壁部９に設ける。
【００１６】
図２は本発明の掃除機本体の側断面図である。本掃除機の電動送風機室２の後方に、前記電動送風機１の排気を大気に放出する排気部１１を設け、この排気部１１に集塵フィルター１２を設け、前記電動送風機１を固定する前記電動送風機ケース５の一部に排出部７を設けることで、この排出部７から前記排気部１１の間を排気通路とし、この排気通路上に前記マイナスイオン発生体６を設け、且つ前記マイナスイオン発生体６を前記電動送風機ケース５に接して設け、前記電動送風機室２の底内壁部９に配設し、前記マイナスイオン発生体６を前記電動送風機ケース５と前記電動送風機室２の底内壁部９にて挟み込む構成としている。
【００１７】
図３は本発明の掃除機本体の電動送風機室の側断面図である。電動送風機ケース５は、排出部７をその一部に有し、これに対向する電動送風機室２の底内壁部９にマイナスイオン発生体６を設けている。
【００１８】
図４も本発明の電気掃除機の電動送風機室の側断面図である。電動送風機室２内に設けたマイナスイオン発生体６は、電動送風機室２の底内壁部９に突出して設けた凸部８上に固定して設け、前記マイナスイオン発生体６と前記電動送風機室２の底内壁部９との間に空間を設ける。
【００１９】
図５も本発明の電気掃除機の電動送風機室の断面図である。マイナスイオン発生体６は、帯電防止材を有しないフェルト１０をその片側に接着して設け、非帯電防止材質である側を、電動送風機室２の底内壁部９の樹脂部品に接触して設けている。
【００２０】
上記構成による動作を説明する。吸引風を発する電動送風機１から排出される排気は、電動送風機ケース５の排出部７から排出されて排気部１１に至るまでに電動送風機室２内を流動するが、この排気中の塵埃はプラスに帯電していることが多い。このときプラスに帯電した塵埃がマイナスイオン発生体６に触れることで発生するマイナスイオンによって中和、結合され、結合して大きくなった塵埃は排気部１１もしくはその近傍に設けた集塵フィルター１２で確実に捕集される。
【００２１】
プラスに帯電した比較的粒子の大きい塵埃は、その質量から電動送風機室２の底内壁部９に堆積していくが、その底内壁部９に設けたマイナスイオン発生体６で同様に中和、結合され、その場で捕集されることから、再度掃除機を運転しても容易に流動、浮遊することなく、結果、電子回路や接点等への侵入、付着が起こりにくく、導通不良や回路短絡を防ぐことができる。もちろんマイナスイオン発生体６を底内壁部９に設けることで、マイナスイオン発生体６により広い面積を設けることができ、プラスに帯電したより多くの塵埃を中和、捕集できるうえ、組立についても至極容易に行える。
【００２２】
また前記電動送風機ケース５の排出部７から前記排気部１１間の排気通路上に前記マイナスイオン発生体６を設け、且つ前記マイナスイオン発生体６を前記電動送風機ケース５に接して設けることで、プラスに帯電した排気中の塵埃がマイナスイオン発生体６に接触して発生するマイナスイオンによって中和、結合されるだけでなく、電動送風機１から伝わる振動でもマイナスイオン発生体６は自発分極を有する物質を持つことから、マイナスイオンの発生を増加させることができ、仮にプラスに帯電した排気中の塵埃の一部がマイナスイオン発生体６に接触しなくてもその近傍を通過するだけでも中和、結合されるため、結果、より多くの塵埃を捕集することができる。
【００２３】
さらにマイナスイオン発生体６を電動送風機１のごく近傍にフィルター状に設けても、その排気流速が高いことからプラスに帯電した塵埃が十分に中和できないことがあることから、マイナスイオン発生体６を電動送風機１自身より少し離れた電動送風機ケース５の排出部７に対面して設けることで、電動送風機１からの排気の流速が少し落ちたポイントでプラスに帯電した塵埃を中和、結合できるため、結果、より多くの排気塵埃を捕集することができ、塵埃の捕集効率をさらに上げることができる。
【００２４】
またマイナスイオン発生体６を電動送風機室２の底内壁部９上に設けることで、塵埃によってはマイナスイオン発生体６で中和、捕集されるものの割合が多く目詰まり状態となり中和作用が早く失われることもあったが、電動送風機室２の底内壁部９から凸部８によって浮かして設けることで、比較的粒子が小さく流速がそれほど落ちない塵埃についてはマイナスイオン発生体６にて中和された後、マイナスイオン発生体６を通過させることで目詰まりによる中和作用の劣化を防ぎ、結果、プラスに帯電したより多くの塵埃を中和、より高い捕集効率を得ることができる。
【００２５】
また、電動送風機室２の底内壁部９に帯電防止剤を有していると、その帯電防止剤がマイナスイオンを牽引するため、その他の方向に対してマイナスイオンを発生、遊離することが難しいため、前記底内壁部９を、帯電防止剤を含有しない樹脂部品で構成することで、近傍にあるマイナスイオン発生体６よりより多くのマイナスイオンを発生しやすくすることができ、結果、プラスに帯電した塵埃の捕集効率を上げると共に、より安価な費用で電動送風機室２の底内壁部９を構成できる。
【００２６】
また片側に非帯電防止材質１０を設けたマイナスイオン発生体６を、非帯電防止材質１０側を電動送風機室２の底内壁部９の樹脂部品に接触して設けたことで、電動送風機室２の底内壁部９が帯電防止剤を有する、有さないに拘わらず、安定してマイナスイオンを発生することができ、安定した捕集効率を得ることができる。
【００２７】
尚、本実施例においては、床移動形電気掃除機として説明を行っているが、形式や電源の形態を問わず、一般の掃除機全般についても同様な構成を採用可能である。
【００２８】
また、本実施例においては、マイナスイオン発生体６を電動送風機室２の底内壁部９に設けているが、電動送風機室２を形成する内壁であれば底部でなくても同様の効果を有するものである。
【００２９】
【発明の効果】
本発明によれば、排気中の塵埃をマイナスイオン発生体によって帯電し、捕集することで、導通不良や回路短絡を防ぐことができる電気掃除機を提供できる。
【図面の簡単な説明】
【図１】本発明の一実施例を示す掃除機本体の側断面図
【図２】同他の掃除機本体の側断面図
【図３】同電動送風機室の側断面図
【図４】同他の電動送風機室の側断面図
【図５】同他の電動送風機室の側断面図
【図６】従来の掃除機本体の略構成図
【符号の説明】
１  電動送風機
２  電動送風機室
５  電動送風機ケース
６  マイナスイオン発生体
９  電動送風機室の底内壁部
【図１】
2004267682.tif 000003
【図２】
2004267682.tif 000004
【図３】
2004267682.tif 000005
【図４】
2004267682.tif 000006
【図５】
2004267682.tif 000007
【図６】
2004267682.tif 000008